(57)【要約】【課題】主配線基板と配線板状部材とを含んだ全体の構成の薄型化を図ることができるもとで、配線板状部材に設けられた接触配線端子の主配線基板に設けられた配線端子への連結を確実に行うことができる配線端子連結装置を提供する。【解決手段】主配線基板１２に装着された基板側コネクタ１１のシェル部材１４に当接係合部２５が設けられるとともに、配線板状部材３１に装着された板状部材側コネクタ３０のシェル部材３２に係合受部３５が設けられて、シェル部材１４にシェル部材３２が嵌合するとき、当接係合部２５が係合受部３５に対する当接係合状態をとり、当接係合部２５が係合受部３５に対する当接係合状態をとるもとで、基板側コネクタ１１におけるコンタクト１５が配線板状部材３１に設けられた接触配線端子３３に当接して、接触配線端子３３を主配線基板１２に設けられた配線端子１６に連結する。【選択図】図２１
2015026425.tif 000002
【特許請求の範囲】
【請求項１】
主配線基板上に固定された絶縁ハウジング，各々が接点部と上記主配線基板に設けられた配線端子に接続される基板接続部とを有して上記絶縁ハウジングに配された複数のコンタクト、及び、上記主配線基板に固着された第１のシェル部材とを備えた第１のコネクタと、
上記複数のコンタクトの接点部が夫々当接する状態をとる複数の接触配線端子が設けられた配線板状部材に固着され、上記第１のシェル部材との嵌合状態をとる第２のシェル部材を備えた第２のコネクタと、
を含んで構成され、
上記第１のコネクタにおける上記第１のシェル部材の大部分が、上記主配線基板上における上記絶縁ハウジングの外周に配されるとともに、上記第２のコネクタにおける上記第２のシェル部材が、上記配線板状部材に設けられた上記複数の接触配線端子を包囲して配され、
上記第１のシェル部材における上記絶縁ハウジングの外周に配された部分に当接係合部が設けられるとともに上記第２のシェル部材に係合受部が設けられて、上記第１のシェル部材に上記第２のシェル部材が嵌合するとき、上記当接係合部が上記係合受部に対する当接係合状態をとり、
上記当接係合部が上記係合受部に対する当接係合状態をとるもとで、上記第１のコネクタにおける上記複数のコンタクトの接点部が上記配線板状部材に設けられた複数の接触配線端子に夫々当接して、該接触配線端子を上記主配線基板に設けられた配線端子に連結すること、
を特徴とする配線端子連結装置。
【請求項２】
上記当接係合部と上記係合受部とのうちの少なくとも一方が、弾性を具えていることを特徴とする請求項１記載の配線端子連結装置。
【請求項３】
上記第２のシェル部材に可動係合係止部が設けられるとともに上記第１のシェル部材に固定係止部が設けられて、上記第１のシェル部材に上記第２のシェル部材が嵌合するとき、上記可動係合係止部が上記固定係止部に対する係合係止状態をとることを特徴とする請求項１記載の配線端子連結装置。
【請求項４】
上記可動係合係止部が、上記第２のシェル部材における固定部から伸びる弾性腕部によって支持されていることを特徴とする請求項３記載の配線端子連結装置。
【請求項５】
上記配線板状部材に設けられた透孔を貫通して上記配線板状部材における上記透孔の周囲部分に当接係合する係合部が、上記弾性腕部によって支持されていることを特徴とする請求項４記載の配線端子連結装置。
【請求項６】
上記弾性腕部に、上記配線板状部材に設けられた透孔を貫通して上記配線板状部材から該配線板状部材の外方に突出する操作部が設けられ、該操作部が、上記透孔の範囲内において、上記可動係合係止部が上記固定係止部に対する係合係止状態をとるもとでの第１の位置と、上記弾性腕部を上記可動係合係止部を伴って移動させて該可動係合係止部に上記固定係止部に対する係合係止状態を解除させる操作が加えられたもとでの第２の位置とをとることを特徴とする請求項４記載の配線端子連結装置。
【請求項７】
上記弾性腕部が上記可動係合係止部を伴って移動して該可動係合係止部に上記固定係止部に対する係合係止状態を解除させるとき、上記可動係合係止部が、上記第１のシェル部材に傾斜面部を有するものとして設けられた位置規制部に上記傾斜面部に沿って移動して係合し、該位置規制部による位置規制を受けることを特徴とする請求項６記載の配線端子連結装置。
【発明の詳細な説明】
【技術分野】
【０００１】
本願の特許請求の範囲に記載された発明は、フレキシブル印刷配線基板（ＦＰＣ）等の配線板状部材が主配線基板に対面近接して重ね合わせられるもとで、配線板状部材に設けられた部材側配線端子と主配線基板に設けられた基板側配線端子とに相互連結された状態をとらせる配線端子連結装置に関する。
【背景技術】
【０００２】
各種の電子機器に実装される比較的小型なフレキシブル印刷配線基板等の配線板状部材は、各種の電気部品が取り付けられる主配線基板との電気的連結が、電子機器内におけるスペース上の制約等から、主配線基板に対して対面近接して重ね合わせられるようにして行われざるを得ないものとされることが少なくない。このような配線板状部材と主配線基板とのような板状部材の組についての一方が他方に対面近接して重ね合わせられる連結態様を、以下においては対面近接重ね合わせ連結ということとする。
【０００３】
フレキシブル印刷配線基板等の配線板状部材に設けられた部材側配線端子と主配線基板に設けられた基板側配線端子部とを相互連結された状態とすべく、配線板状部材を対面近接重ね合わせ連結によって主配線基板に電気的に連結するに際して、従来、主配線基板に第１のコネクタを取り付けるとともに配線板状部材に第２のコネクタを取り付け、第２のコネクタを第１のコネクタに接続することにより、配線板状部材に設けられた部材側配線端子を、第２のコネクタ及び第１のコネクタを介して、主配線基板に設けられた基板側配線端子との電気的連結状態におくことができる基板連結機構が提案されている（例えば、特許文献１あるいは特許文献２参照。）。
【０００４】
特許文献１に示される基板連結機構にあっては、主配線基板（プリント配線基板(2))に、その主配線基板に配された複数の基板側配線端子（ランドパターン）に夫々半田接続された複数のコンタクト(112) を有する第１のコネクタ（相手側コネクタ（110)) が立設され、また、平行配列された複数の部材側配線端子（端子部(1b)) が設けられた配線板状部材（フレキシブル基板(1))に、第１のコネクタに嵌合接続される絶縁ベースハウジング(20)と絶縁カバーハウジング(30)とを有した第２のコネクタ（プリント配線基板用コネクタ(10)) が取り付けられる。配線板状部材に第２のコネクタが取り付けられるにあたっては、配線板状部材が、複数の部材側配線端子に沿って屈曲せしめられた状態をもって、絶縁ベースハウジング(20)と絶縁カバーハウジング(30)との間に挟まれて保持され、複数の部材側配線端子が絶縁ベースハウジング(20)上に露出する状態におかれる。
【０００５】
そして、第２のコネクタが取り付けられた配線板状部材が、第１のコネクタが立設された主配線基板に、第２のコネクタを第１のコネクタに対向する位置をとるものとしたもとで対面近接せしめられて、第２のコネクタが第１のコネクタに嵌合接続せしめられる。その際、第２のコネクタにおいて絶縁ベースハウジング(20)上に露出する配線板状部材における複数の部材側配線端子が、第１のコネクタにおける複数のコンタクト(112) に夫々直接的に接触接続される。それにより、配線板状部材が対面近接重ね合わせ連結によって主配線基板に電気的に連結され、配線板状部材に配された複数の部材側配線端子と主配線基板に配された複数の基板側配線端子とが相互連結された状態におかれる。
【０００６】
このような特許文献１に示される基板連結機構によれば、配線板状部材に取り付けられる第２のコネクタを、主配線基板に立設される第１のコネクタとの電気的接続のためのコンタクトを備える必要がないものとすることができる。
【０００７】
また、特許文献２に示される基板連結機構は、第１の配線基板（ソケット用基板(33)) 及び配線板状部材を成す第２の配線基板（プラグ用基板(53)) が対面近接重ね合わせ連結の対象とされるもとで、第１の配線基板に取り付けられる第１のコネクタ（ソケット(10)) と第２の配線基板に取り付けられる第２のコネクタ（プラグ(40)) とを含んで構成されている。第１のコネクタは、第１のハウジング（絶縁ハウジング(11)) に配列配置された複数の第１のコンタクト（第１接点(12)及び第２接点(13)) を備えており、また、第２のコネクタは、第２のハウジング（絶縁ハウジング(41)) に配列配置された複数の第２のコンタクト（第１端子(42)及び第２端子(43)) を備えている。複数の第１のコンタクトの夫々は、第１の配線基板に配された第１の基板配線端子に接続されており、また、複数の第２のコンタクトの夫々は、第２の配線基板に配された第２の基板配線端子に接続されている。
【０００８】
そして、第１のコネクタにおいては、第１のハウジングに係合窓(29)が形成されたロックバネ(27)がとりつけられており、また、第２のコネクタにおいては、第２のハウジングに拘止突部(52)が形成されている。それに加えて、第２のコネクタが取り付けられた第２の配線基板における、それに取り付けられた第２のコネクタにおける第２のハウジングに形成された拘止突部(52)の先端部に対応する位置に、ロック解除窓(56)が透孔をなすものとして形成されている。
【０００９】
このようなもとで、第２の配線基板における第２のコネクタが取り付けられた面が第１の配線基板における第１のコネクタが取り付けられた面に対向するものとされて、第２の配線基板が第１の配線基板に対面近接して重ね合わせられる状態がとられ、それにより、第１のコネクタに第２のコネクタが接続されて、第２のコネクタが備える複数の第２のコンタクトが第１のコネクタが備える複数の第１のコンタクトに夫々接触接続される。それにより、第１のコネクタが備える複数の第１のコンタクトと第２のコネクタが備える複数の第２のコンタクトとが相互接続されて、第１の配線基板と第２の配線基板とについての対面近接重ね合わせ連結が行われ、第１の配線基板に配された複数の第１の基板配線端子と第２の配線基板に配された複数の第２の基板配線端子とが相互連結状態におかれる。
【００１０】
斯かる際、第１のコネクタにおける第１のハウジングに取り付けられたロックバネ(27)に形成された係合窓(29)が、第２のコネクタにおける第２のハウジングに形成された拘止突部(52)に係合して、第２のハウジングに対するロック状態をとり、第２のコネクタにおける第２のハウジングの、第１のコネクタにおける第１のハウジングからの離脱を阻止する。それにより、第１のコネクタが備える複数の第１のコンタクトと第２のコネクタが備える複数の第２のコンタクトとの相互接続状態が安定に維持され、その結果、第１の配線基板と第２の配線基板とについての対面近接重ね合わせ連結が安定に行われることが期待される。このとき、それに形成された係合窓(29)に第２のハウジングに形成された拘止突部(52)が係合するものとされたロックバネ(27)は、その先端部分が第２の配線基板に設けられたロック解除窓(56)を通じて第２の配線基板外に臨むものとされる。
【００１１】
その後、第１の配線基板と第２の配線基板とを対面近接重ね合わせ連結状態から解放するにあたっては、第２の配線基板に設けられたロック解除窓(56)を通じて第２の配線基板外に臨むものとされたロックバネ(27)の先端部分が、それに対するロック解除窓(56)における第２の配線基板外からの操作により、ロックバネ(27)に形成された係合窓(29)が第２のハウジングに形成された拘止突部(52)との係合を解除するように変位せしめられ、それにより、ロックバネ(27)に形成された係合窓(29)による第２のハウジングに対するロック状態が解除される。従って、第１のコネクタ及び第２のコネクタの外部からそれらの相互係合状態を解除して、第１の配線基板と第２の配線基板とを対面近接重ね合わせ連結状態から解放することができる状態をとることができる。
【先行技術文献】
【特許文献】
【００１２】
【特許文献１】特開平９−３１２１８３号公報（段落００２８〜００４５，図１〜１１）
【特許文献２】特開２００６−２４４９５５号公報（段落００２３〜００３４，図１〜４，８，１０，１１，１４，１５）
【発明の概要】
【発明が解決しようとする課題】
【００１３】
上述のような、フレキシブル印刷配線基板等の配線板状部材に設けられた部材側配線端子を主配線基板に設けられた基板側配線端子に連結された状態とすべく、配線板状部材を対面近接重ね合わせ連結によって主配線基板に電気的に連結するためのものとして従来提案されている、特許文献１に記載された基板連結機構が用いられる場合においては、第２のコネクタが取り付けられた配線板状部材が、第１のコネクタが立設された主配線基板に対面近接重ね合わせ連結によって電気的に連結された状態におかれたとき、いずれもが絶縁ベースハウジングを備えるものとされた第１のコネクタと第２のコネクタとが、主配線基板上において重ねられることになる。そのため、主配線基板と配線板状部材との間の間隔が比較的大とされ、主配線基板と配線板状部材とそれらの間の基板連結機構とを含んだ全体の薄型化に支障が来されることになってしまう。
【００１４】
さらに、特許文献１に記載された基板連結機構には、第２のコネクタが第１のコネクタに嵌合接続された状態を維持するための手段が備えられていないので、第２のコネクタが取り付けられた配線板状部材が第１のコネクタが立設された主配線基板に対面近接重ね合わせ連結によって電気的に連結された状態を安定に維持することが困難とされるという不都合がある。
【００１５】
また、同じくフレキシブル印刷配線基板等の配線板状部材に設けられた部材側配線端子を主配線基板に設けられた基板側配線端子に連結された状態とすべく、配線板状部材を対面近接重ね合わせ連結によって主配線基板に電気的に連結するためのものとして従来提案されている、特許文献２に示される基板連結機構にあっては、第１のコネクタに第２のコネクタが接続された状態のもとで、第２のコネクタにおける第２のハウジングの第１のコネクタにおける第１のハウジングからの離脱を阻止する機能を果たすロック手段あるいは係止手段として、第２のコネクタにおける第２のハウジングに形成された拘止突部(52)と、第１のコネクタにおける第１のハウジングに取り付けられたロックバネ(27)に形成され、拘止突部(52)に係合して第２のハウジングに対するロック状態をとる係合窓(29)とが備えられている。しかしながら、係合窓(29)が形成されて第１のハウジングに取り付けられたロックバネ(27)及び第２のハウジングに形成された拘止突部(52)の夫々の構造上、係合窓(29)の拘止突部(52)との係合は然程堅固なものとはされ得ず、それゆえ、例えば、相互係合した第１のコネクタと第２のコネクタとのうちのいずれか一方もしくは双方に、比較的大なる外力が不所望に作用した場合には、係合窓(29)が拘止突部(52)との係合から外れてしまい、第１のコネクタが備える複数の第１のコンタクトと第２のコネクタが備える複数の第２のコンタクトとの相互接続状態が不安定なものとされ、その結果、第１の配線基板と第２の配線基板とについての対面近接重ね合わせ連結が安定に行われなくなってしまう虞がある。
【００１６】
それに加えて、特許文献２に示される基板連結機構には、第１の配線基板と第２の配線基板とを対面近接重ね合わせ連結状態から解放すべく、第２の配線基板に設けられたロック解除窓(56)を通じて第２の配線基板外に臨むものとされたロックバネ(27)の先端部分を、ロック解除窓(56)において第２の配線基板外から変位させる操作を行うにあたっては、斯かる操作のための特別な工具等が必要とされるという問題がある。
【００１７】
斯かる点に鑑み、本願の特許請求の範囲に記載された発明は、フレキシブル印刷配線基板等の配線板状部材を対面近接重ね合わせ連結によって主配線基板に電気的に連結することによって、配線板状部材に設けられた配線端子を主配線基板に設けられた配線端子に連結された状態となす基板連結機構を成すものであって、主配線基板と配線板状部材とを含んだ全体の構成の薄型化を図ることができるもとで、配線板状部材に設けられた配線端子の主配線基板に設けられた配線端子への連結を確実に行うことができるとともに、配線板状部材に設けられた配線端子が主配線基板に設けられた配線端子に連結された状態が安定に維持されるようになすことができ、さらに、配線板状部材に設けられた配線端子が主配線基板に設けられた配線端子に連結された状態が安定に維持されていることを容易に確認することができ、しかも、配線板状部材に設けられた配線端子が主配線基板に設けられた配線端子に連結された状態の解除を、作業性が良好とされる操作をもって確実に行なうことができる配線端子連結装置を提供する。
【課題を解決するための手段】
【００１８】
本願の特許請求の範囲における請求項１から請求項７までのいずれかに記載された発明（以下、本発明という。）に係る配線端子連結装置は、主配線基板上に固定された絶縁ハウジング，各々が接点部と主配線基板に設けられた配線端子に接続される基板接続部とを有して絶縁ハウジングに配された複数のコンタクト、及び、主配線基板に固着された第１のシェル部材とを備えた第１のコネクタと、複数のコンタクトの接点部が夫々当接する状態をとる複数の接触配線端子が設けられた配線板状部材に固着され、第１のシェル部材との嵌合状態をとる第２のシェル部材を備えた第２のコネクタとを含んで構成される。そして、第１のコネクタにおける第１のシェル部材の大部分が、主配線基板上における絶縁ハウジングの外周に配されるとともに、第２のコネクタにおける第２のシェル部材が、配線板状部材に設けられた複数の接触配線端子を包囲して配され、第１のシェル部材における絶縁ハウジングの外周に配された部分に当接係合部が設けられるとともに第２のシェル部材に係合受部が設けられて、第１のシェル部材に第２のシェル部材が嵌合するとき、当接係合部が係合受部に対する当接係合状態をとり、当接係合部が係合受部に対する当接係合状態をとるもとで、第１のコネクタにおける複数のコンタクトの接点部が配線板状部材に設けられた複数の接触配線端子に夫々当接して、複数の接触配線端子を主配線基板に設けられた配線端子に連結することを特徴とするものとされる。
【００１９】
特に、本発明のうちの請求項３に記載されたものに係る配線端子連結装置においては、第２のコネクタにおける第２のシェル部材に可動係合係止部が設けられるとともに第１のコネクタにおける第１のシェル部材に固定係止部が設けられ、第１のシェル部材に第２のシェル部材が嵌合するとき可動係合係止部が固定係止部に対する係合係止状態をとる。
【００２０】
さらに、本発明のうちの請求項６に記載されたものに係る配線端子連結装置においては、第２のコネクタにおける第２のシェル部材に可動係合係止部が設けられるとともに第１のコネクタにおける第１のシェル部材に固定係止部が設けられ、第１のシェル部材に第２のシェル部材が嵌合するとき可動係合係止部が固定係止部に対する係合係止状態をとるもとで、第２のコネクタにおける第２のシェル部材における固定部から伸びて可動係合係止部を支持する弾性腕部に、それを可動係合係止部を伴って移動させて可動係合係止部に固定係止部に対する係合係止状態を解除させる操作が加えられる操作部が、配線板状部材に設けられた透孔を貫通して配線板状部材からその外方に突出するものとして設けられる。
【００２１】
上述のような本発明に係る配線端子連結装置にあっては、例えば、フレキシブル印刷配線基板とされる配線板状部材が対面近接重ね合わせ連結によって主配線基板に電気的に連結されるにあたり、主配線基板上に固着された絶縁ハウジングを備える第１のコネクタにおける絶縁ハウジングの外周に配された部分を有した第１のシェル部材に、配線板状部材に固着された第２のコネクタにおける第２のシェル部材が、配線板状部材に設けられた複数の接触配線端子を包囲して配されたものとして嵌合する。その際、第１のシェル部材における絶縁ハウジングの外周に配された部分に設けられた当接係合部が第２のシェル部材に設けられた係合受部に対する当接係合状態をとるとともに、第１のコネクタにおける複数のコンタクトの接点部が、配線板状部材に設けられた複数の接触配線端子に夫々当接して、複数の接触配線端子を主配線基板に設けられた配線端子に連結する。
【００２２】
それにより、配線板状部材が対面近接重ね合わせ連結によって主配線基板に電気的に連結される際には、第１のコネクタにおける第１のシェル部材に対する第２のコネクタにおける第２のシェル部材の嵌合が、第１のシェル部材に設けられた当接係合部が第２のシェル部材に設けられた係合受部に対する当接係合状態をとるもとで行われ、斯かるもとで、第１のコネクタにおける複数のコンタクトの接点部が配線板状部材に設けられた複数の接触配線端子に夫々当接することになる。その結果、第１のシェル部材に対する第２のシェル部材の嵌合が適正かつ確実に行われるもとで、第１のコネクタにおける複数のコンタクトの接点部が配線板状部材に設けられた複数の接触配線端子に夫々当接することになる。
【００２３】
特に、本発明のうちの請求項３に記載されたものに係る配線端子連結装置にあっては、第１のコネクタにおける第１のシェル部材に第２のコネクタにおける第２のシェル部材が嵌合するとき、第１のシェル部材に設けられた当接係合部が第２のシェル部材に設けられた係合受部に対する当接係合状態をとり、さらにそれに加えて、第２のシェル部材に設けられた可動係合係止部が第１のシェル部材に設けられた固定係止部に対する係合係止状態をとって、第１のシェル部材に嵌合した第２のシェル部材を第１のシェル部材に対して堅固に係止する。
【００２４】
さらに、本発明のうちの請求項６に記載されたものに係る配線端子連結装置にあっては、第１のコネクタにおける第１のシェル部材が第２のコネクタにおける第２のシェル部材に嵌合するとき第２のシェル部材に設けられた可動係合係止部が第１のシェル部材に設けられた固定係止部に対する係合係止状態をとるもとで、第２のシェル部材における固定部から伸びて可動係合係止部を支持する弾性腕部に設けられて、配線板状部材に設けられた透孔を貫通して配線板状部材からその外方に突出するものとされる操作部が、透孔の範囲内において、可動係合係止部が固定係止部に対する係合係止状態をとるもとでの第１の位置と弾性腕部を可動係合係止部を伴って移動させて可動係合係止部に固定係止部に対する係合係止状態を解除させる操作が加えられたもとでの第２の位置とをとる。
【発明の効果】
【００２５】
本発明に係る配線端子連結装置によれば、配線板状部材を主配線基板に対面近接重ね合わせ連結によって電気的に連結することにより、配線板状部材に設けられた接触配線端子が主配線基板に設けられた配線端子に連結される状態が、主配線基板に固着された第１のコネクタにおける第１のシェル部材に配線板状部材に固着された第２のコネクタにおける第２のシェル部材を嵌合させることによりとられ、第２のコネクタは絶縁ハウジングを備えることなく第２のシェル部材を備えるものとされるので、第１のコネクタが装着された主配線基板と第２のコネクタが装着された配線板状部材とを含んだ全体の構成の薄型化を図ることができることになる。
【００２６】
それに加えて、本発明に係る配線端子連結装置によれば、配線板状部材を主配線基板に対面近接重ね合わせ連結によって電気的に連結することにより、配線板状部材に設けられた接触配線端子が主配線基板に設けられた配線端子に連結される状態が、主配線基板に固着された第１のコネクタにおける第１のシェル部材に配線板状部材に固着された第２のコネクタにおける第２のシェル部材を嵌合させることによりとられ、その際、第１のシェル部材に第２のシェル部材が嵌合するとき、第１のシェル部材に設けられた当接係合部が第２のシェル部材に設けられた係合受部に対する当接係合状態をとり、斯かるもとで、第１のコネクタにおける複数のコンタクトの接点部が配線板状部材に設けられた複数の接触配線端子に夫々当接して、配線板状部材に設けられた接触配線端子が主配線基板に設けられた配線端子に連結されるので、配線板状部材に設けられた接触配線端子の主配線基板に設けられた配線端子への連結を確実に行うことができる。
【００２７】
また、本発明のうちの請求項３に記載されたものに係る配線端子連結装置によれば、第１のコネクタにおける第１のシェル部材に第２のコネクタにおける第２のシェル部材が嵌合するとき、第１のシェル部材に設けられた当接係合部が第２のシェル部材に設けられた係合受部に対する当接係合状態をとり、さらにそれに加えて、第２のシェル部材に設けられた可動係合係止部が第１のシェル部材に設けられた固定係止部に対する係合係止状態をとる。それにより、第２のシェル部材に設けられた可動係合係止部が、第１のシェル部材に嵌合した第２のシェル部材を第１のシェル部材に対して堅固に係止する。その結果、配線板状部材に設けられた接触配線端子が主配線基板に設けられた配線端子に連結された状態が安定に維持されることになる。
【００２８】
さらに、本発明のうちの請求項６に記載されたものに係る配線端子連結装置によれば第２のコネクタにおける第２のシェル部材に、第１のコネクタにおける第１のシェル部材に設けられた固定係止部に対する係合係止状態をとる可動係合係止部が設けられたもとで、第２のシェル部材における固定部から伸びて可動係合係止部を支持する弾性腕部に、配線板状部材に設けられた透孔を貫通して配線板状部材からその外方に突出するものとされる操作部が設けられ、その操作部が、透孔の範囲内において、第２のシェル部材に設けられた可動係合係止部が第１のシェル部材に設けられた固定係止部に対する係合係止状態をとるもとでの第１の位置と、弾性腕部を可動係合係止部を伴って移動させて可動係合係止部に固定係止部に対する係合係止状態を解除させるべく操作された第２の位置とをとる。
【００２９】
それにより、配線板状部材に設けられた透孔内の操作部の位置に応じて、第２のシェル部材に設けられた可動係合係止部が第１のシェル部材に設けられた固定係止部を係合係止して、配線板状部材に設けられた接触配線端子が主配線基板に設けられた配線端子に連結された状態が安定に維持されていることを容易に確認することができる。しかも、配線板状部材に設けられた接触配線端子が主配線基板に設けられた配線端子に連結された状態の解除を、配線板状部材に設けられた透孔を貫通して配線板状部材からその外方に突出するものとされる操作部に第２の位置をとらせることにより開始される、作業性が良好とされる操作をもって、確実に行うことができることになる。
【図面の簡単な説明】
【００３０】
【図１】本発明に係る配線端子連結装置の一例を構成する基板側コネクタをそれが装着された主配線基板と共に示す斜視図である。
【図２】図１に示される基板側コネクタと主配線基板とを示す平面図である。
【図３】図１に示される基板側コネクタと主配線基板とを示す正面図である。
【図４】図１に示される主配線基板を単体で示す斜視図である。
【図５】図３における V−V 線断面を示す拡大断面図である。
【図６】図１に示される基板側コネクタが備える基板側シェル部材を示す斜視図である。
【図７】図６に示される基板側シェル部材を示す平面図である。
【図８】図６に示される基板側シェル部材を示す正面図である。
【図９】図８におけるIX−IX線断面を示す拡大断面図である。
【図１０】本発明に係る配線端子連結装置の一例を構成する板状部材側コネクタをそれが装着された配線板状部材と共に示す底面側から見た斜視図である。
【図１１】図１０に示される配線板状部材とそれに装着された板状部材側コネクタの部分とを示す平面図である。
【図１２】図１０に示される板状部材側コネクタと配線板状部材とを示す正面図である。
【図１３】図１０に示される板状部材側コネクタと配線板状部材とを示す底面図である。
【図１４】図１０に示される板状部材側コネクタと配線板状部材とを示す側面図である。
【図１５】図１０に示される板状部材側コネクタを構成する板状部材側シェル部材の上面側を示す斜視図である。
【図１６】図１０に示される板状部材側コネクタを構成する板状部材側シェル部材の下面側を示す斜視図である。
【図１７】図１０に示される板状部材側コネクタを構成する板状部材側シェル部材を示す平面図である。
【図１８】図１０に示される板状部材側コネクタを構成する板状部材側シェル部材を示す正面図である。
【図１９】図１８における XIX−XIX 線断面を示す拡大断面図である。
【図２０】図１に示される基板側コネクタに図１０に示される板状部材側コネクタが対向配置された状態を示す断面図である。
【図２１】図１に示される基板側コネクタに図１０に示される板状部材側コネクタが嵌合接続された状態を示す断面図である。
【図２２】図１に示される主配線基板に図１０に示される配線板状部材が対面近接重ね合わせ連結により連結された状態を示す斜視図である。
【図２３】図１に示される主配線基板に図１０に示される配線板状部材が対面近接重ね合わせ連結により連結された状態を示す平面図である。
【図２４】図１に示される主配線基板に図１０に示される配線板状部材が対面近接重ね合わせ連結により連結された状態を示す正面図である。
【図２５】図１に示される主配線基板に図１０に示される配線板状部材が対面近接重ね合わせ連結により連結された状態を示す側面図である。
【図２６】図２３におけるXXVI−XXVI線断面を示す拡大断面図である。
【図２７】配線板状部材及び主配線基板の図示を省略して、板状部材側コネクタが備える板状部材側シェル部材に設けられた可動係合係止部が基板側コネクタを構成する基板側シェル部材に設けられた固定係止部に対する係合係止状態をとった状態を示す平面図である。
【図２８】基板側コネクタが備える基板側シェル部材に設けられた可動係合係止部が板状部材側コネクタを構成する板状部材側シェル部材に設けられた被係止部に対する係合係止状態を解除した状態を示す部分断面図である。
【図２９】配線板状部材及び主配線基板の図示を省略して、板状部材側コネクタが備える板状部材側シェル部材に設けられた可動係合係止部が基板側コネクタを構成する基板側シェル部材に設けられた固定係止部に対する係合係止状態を解除した状態を示す平面図である。
【図３０】本発明に係る配線端子連結装置の他の例を構成する基板側コネクタをそれが装着された主配線基板と共に示す斜視図である。
【図３１】図３０に示される基板側コネクタが備える基板側シェル部材を示す斜視図である。
【発明を実施するための形態】
【００３１】
本発明を実施するための形態は、以下に述べられる本発明についての実施例１及び実施例２をもって説明される。
【実施例１】
【００３２】
図１（斜視図），図２（平面図）及び図３（正面図）は、本発明に係る配線端子連結装置の一例を構成する主要構成要素である第１のコネクタを成す基板側コネクタ１１と基板側コネクタ１１が装着された主配線基板１２とを示す。
【００３３】
図１〜図３において、第１のコネクタである基板側コネクタ１１は、主配線基板１２に固定される矩形平板状を成す絶縁ハウジング１３と主配線基板１２に固着される第１のシェル部材である基板側シェル部材１４とを備えている。絶縁ハウジング１３には、複数のコンタクト１５が絶縁ハウジング１３の長手方向に沿う２列を成して配列配置されている。
【００３４】
そして、図４に示されるように、主配線基板１２には、複数の配線端子１６が２列を成して配列配置されたものとして設けられており、複数の配線端子１６からは互いに平行に配された複数の配線パターン１７が夫々伸びている。また、主配線基板１２には、２列を成して配列配置された複数の配線端子１６をそれらの配列方向において挟む位置に一対の半田付け部１８が設けられている。以下においては、複数の配線端子１６の配列方向を端子配列方向という。そして、主配線基板１２における複数の配線端子１６，複数の配線端子１６から夫々伸びる複数の配線パターン１７及び一対の半田付け部１８が設けられた面１２ａは、複数の配線端子１６上及び一対の半田付け部１８上を除いて、図示が省略された薄い絶縁層（フォト・レジスト層）によって覆われている。
【００３５】
図１〜図３に示されるように、絶縁ハウジング１３は主配線基板１２の面１２ａ上に配され、絶縁ハウジング１３に配列配置された複数のコンタクト１５は、それらの配列方向が主配線基板１２における端子配列方向に沿うものとされる。そして、複数のコンタクト１５の夫々は、図３におけるV-V 線断面を示す図５に示されるように、絶縁ハウジング１３の内部に配された本体部２０と、本体部２０の一端から絶縁ハウジング１３の内側へと折り返されて、主配線基板１２の面１２ａに設けられた配線端子１６に、例えば、半田付けにより接続される基板接続部２１と、本体部２０の他端から絶縁ハウジング１３の内側へと折り返された折り返し屈曲部を成し、絶縁ハウジング１３に設けられた透孔２２を通じて絶縁ハウジング１３内から絶縁ハウジング１３外へと突出する接点部２３とを有している。
【００３６】
基板側シェル部材１４は、例えば、弾性を有した金属板材に打抜き屈曲加工が施されて形成され、図６（斜視図），図７（平面図）及び図８（正面図）に示されるように、全体として矩形枠状体を成すものとされて、その長手方向に互いに平行に伸びる一対の当接係合部２５と一対の当接係合部２５を各々の両端部において相互連結する一対の連結部２６とを有している。一対の当接係合部２５の夫々は、図８におけるIX−IX線断面を示す図９に示されるように、金属板材の外側縁部分が折り返されて形成されており、それにより弾性力を具えたものとされている。また、一対の連結部２６の夫々には、矩形枠状部の一辺を成すものとされた固定係止部２７が形成されており、さらに、傾斜面部２８を有した位置規制部２９が形成されている。
【００３７】
全体として矩形枠状体を成すものとされた基板側シェル部材１４は、図１〜図３に示されるように、その長手方向が主配線基板１２における端子配列方向に沿うものとされ、一対の当接係合部２５が絶縁ハウジング１３の外側に配されて絶縁ハウジング１３を挟んで保持するものとされる状態をもって、主配線基板１２の面１２ａ上に配される。それにより、基板側シェル部材１４は、その大部分が主配線基板１２の面１２ａ上における絶縁ハウジング１３の外周に配され、一対の当接係合部２５は基板側シェル部材１４における絶縁ハウジング１３の外周に配された部分に設けられていることになる。主配線基板１２の面１２ａ上に配される基板側シェル部材１４は、それにおける一対の連結部２６が、主配線基板１２の面１２ａに設けられた一対の半田付け部１８に夫々半田付けされて基板側シェル部材１４に固着され、それに伴って、基板側シェル部材１４の一対の当接係合部２５によって保持された絶縁ハウジング１３が主配線基板１２に固定される。
【００３８】
このようなもとで、絶縁ハウジング１３に配列配置された複数のコンタクト１５の夫々において、主配線基板１２の面１２ａに設けられた配線端子１６に接続される基板接続部２１が、絶縁ハウジング１３の内部に配された本体部２０の一端から絶縁ハウジング１３の内側へと折り返されて形成されていることにより、複数のコンタクト１５の夫々は、絶縁ハウジング１３の外側に配された基板側シェル部材１４によるシールド作用を効果的に受けることになる。また、絶縁ハウジング１３に設けられた切欠部１９を通して、コンタクト１５の基板接続部２１と主配線基板１２の配線端子１６との半田接合部を視認することができる。
【００３９】
図１０（斜視図），図１１（平面図），図１２（正面図）, 図１３（底面図) 及び図１４（側面図）は、本発明に係る配線端子連結装置の一例を第１のコネクタを成す基板側コネクトと共に構成する主要構成要素である、第２のコネクタを成す板状部材側コネクタ３０と板状部材側コネクタ３０が装着された配線板状部材３１とを示す。
【００４０】
図１０〜図１４において、第２のコネクタである板状部材側コネクタ３０は、配線板状部材３１に固着される第２のシェル部材である板状部材側シェル部材３２を備えている。図１０及び図１３に示されるように、配線板状部材３１には、複数の接触配線端子３３が２列を成して配列配置されたものとして設けられており、複数の接触配線端子３３からは互いに平行に配された複数の配線パターン３４が夫々伸びている。また、配線板状部材３１には、２列を成して配列配置された複数の接触配線端子３３をそれらの配列方向において挟む位置に一対の半田付け部（図に現れていない。）が設けられている。以下においては、複数の接触配線端子３３の配列方向を接触端子配列方向という。そして、配線板状部材３１における複数の接触配線端子３３，複数の接触配線端子３３から夫々伸びる複数の配線パターン３４及び一対の半田付け部が設けられた面３１ａは、複数の接触配線端子３３上及び一対の半田付け部上を除いて、図示が省略された薄い絶縁層（フォト・レジスト層）によって覆われている。
【００４１】
配線板状部材３１は、図１０及び図１１に明瞭に示されるように、その面３１ａに対向する面３１ｂにおける、複数の接触配線端子３３が配列配置された面３１ａの部分に対応する部分に、補強板部材３１Ａが張り付けられたものとされている。そして、配線板状部材３１における複数の接触配線端子３３が配列配置された部分には、一対の透孔３１Ｂが補強板部材３１Ａを貫通するものとして形成されている。
【００４２】
板状部材側シェル部材３２は、例えば、弾性を有した金属板材に打抜き屈曲加工が施されて形成され、図１５（斜視図），図１６（斜視図），図１７（平面図）及び図１８（正面図）に示されるように、全体として開口を包囲する矩形枠状体を成すものとされており、その長手方向に互いに平行に伸びる一対の係合受部３５と一対の係合受部３５を各々の両端部において相互連結する一対の固定部３６とを有している。一対の係合受部３５の夫々は、図１８における XIX−XIX 線断面を示す図１９に示されるように、開口を形成する金属板材の内側縁部分が折り曲げられて形成されており、それにより弾力を具えたものとされている。また、一対の固定部３６からは一対の弾性腕部３７が夫々開口内、即ち、枠内に伸びていて、板状部材側シェル部材３２の長手方向において相互対向するものとされている。
【００４３】
また、一対の弾性腕部３７の夫々は、枠内に配された可動係合係止部３８及び係合部３９を支持しており、また、一対の弾性腕部３７の夫々には操作部４０が設けられている。即ち、板状部材側シェル部材３２は、一対の係合受部３５と一対の固定部３６とを有しており、一対の固定部３６の夫々から弾性腕部３７が伸びていて、弾性腕部３７によって可動係合係止部３８と係合部３９とが支持されているとともに、弾性腕部３７の夫々には操作部４０が設けられていることになる。
【００４４】
上述のように全体として矩形枠状体を成すものとされた板状部材側シェル部材３２は、その長手方向が配線板状部材３１における接触端子配列方向に沿うものとされ、配線板状部材３１の面３１ａに配列配置されて設けられた複数の接触配線端子３３を包囲するものとされる状態をもって、配線板状部材３１の面３１ｂ上に配される。その際、板状部材側シェル部材３２に備えられた係合部３９と操作部４０とが、配線板状部材３１に形成された透孔３１Ｂを通じて、配線板状部材３１から外方、具体的には、配線板状部材３１の面３１ｂに張り付けられた補強板部材３１Ａの外方に突出するものとされる。そして、板状部材側シェル部材３２は、その一対の固定部３６が配線板状部材３１の面３１ａに設けられた一対の半田付け部に夫々半田付けされて、配線板状部材３１に固着される。
【００４５】
配線板状部材３１に形成された透孔３１Ｂを通じて、配線板状部材３１の面３１ｂに張り付けられた補強板部材３１Ａの外方に突出した係合部３９は、配線板状部材３１における透孔３１Ｂの周囲部分、具体的には、配線板状部材３１の面３１ｂに張り付けられた補強板部材３１Ａにおける透孔３１Ｂの周囲部分に当接係合する。それにより、板状部材側シェル部材３２における固定部３６から伸びる弾性腕部３７の配置位置の安定化が図られる。また、配線板状部材３１に形成された透孔３１Ｂを通じて、配線板状部材３１の面３１ｂに張り付けられた補強板部材３１Ａの外方に突出した操作部４０は、透孔３１Ｂの範囲内で変位し得るものとされる。
【００４６】
このようなもとで、基板側コネクタ１１が装着された主配線基板１２に、板状部材側コネクタ３０が装着された配線板状部材３１が、対面近接重ね合わせ連結によって電気的に連結される際には、先ず、図２０に示されるように、配線板状部材３１が、それに装着された板状部材側コネクタ３０が備える板状部材側シェル部材３２に、主配線基板１２に装着された基板側コネクタ１１が備える基板側シェル部材１４に対応する位置をとらせる状態をもって、主配線基板１２に対して対向配置される。その際、配線板状部材３１の面３１ａが、主配線基板１２の面１２ａに対面するものとされる。
【００４７】
その後、面３１ａを主配線基板１２の面１２ａに対面させた配線板状部材３１が、主配線基板１２に対して対面近接せしめられて、図２１に示されるように、主配線基板１２に装着された基板側コネクタ１１が備える基板側シェル部材１４に、配線板状部材３１に装着された板状部材側コネクタ３０が備える板状部材側シェル部材３２が嵌合するものとされる。その際、基板側コネクタ１１が備える基板側シェル部材１４における一対の当接係合部２５の夫々が、板状部材側コネクタ３０が備える板状部材側シェル部材３２における一対の係合受部３５のうちの対応するものに対する当接係合状態をとる。それにより、板状部材側コネクタ３０が備える板状部材側シェル部材３２が基板側コネクタ１１が備える基板側シェル部材１４に適切に嵌合した状態が得られる。斯かる際、一対の当接係合部２５及び一対の係合受部３５の夫々が弾性を具えたものとされているので、当接係合部２５の係合受部３５に対する当接係合状態は、弾性力を伴って確実に得られる。なお、当接係合部２５の係合受部３５に対する弾性力を伴った当接係合状態は、当接係合部２５及び係合受部３５のうちの少なくとも一方が弾性を具えたものとされることによっても得られる。
【００４８】
そして、一対の当接係合部２５の夫々が一対の係合受部３５のうちの対応するものに対する当接係合状態をとるもとで、基板側コネクタ１１における各々が主配線基板１２の面１２ａに設けられた配線端子１６に接続された基板接続部２１を有した複数のコンタクト１５の夫々における接点部２３が、配線板状部材３１の面３１ａに配列配置されて設けられた複数の接触配線端子３３のうちの対応するものに当接し、それにより、複数の接触配線端子３３が複数のコンタクト１５を介して主配線基板１２に設けられた複数の配線端子１６に夫々連結される。そして、複数のコンタクト１５の夫々は、絶縁ハウジング１３の外側に配された基板側シェル部材１４によるシールド作用だけでなく、板状部材側コネクタ３０が備える板状部材側シェル部材３２によるシールド作用も効果的に受けることになる。
【００４９】
その結果、図２２（斜視図），図２３（平面図），図２４（正面図）及び図２５（側面図）に示されるように、基板側コネクタ１１が装着された主配線基板１２に、板状部材側コネクタ３０が装着された配線板状部材３１が、対面近接重ね合わせ連結によって電気的に連結された状態が得られる。
【００５０】
上述のようにして、板状部材側コネクタ３０が備える板状部材側シェル部材３２が基板側コネクタ１１が備える基板側シェル部材１４に適切に嵌合し、基板側コネクタ１１が装着された主配線基板１２に、板状部材側コネクタ３０が装着された配線板状部材３１が対面近接重ね合わせ連結によって電気的に連結されたもとにあっては、図２３におけるXXVI−XXVI線断面を示す図２６に示されるように、板状部材側コネクタ３０が備える板状部材側シェル部材３２における弾性腕部３７によって支持された可動係合係止部３８が、基板側コネクタ１１が備える基板側シェル部材１４に設けられた固定係止部２７に対する係合係止状態をとる。それにより、板状部材側シェル部材３２に設けられた可動係合係止部３８が、基板側シェル部材１４に嵌合した板状部材側シェル部材３２を基板側シェル部材１４に対して堅固に係止する。その結果、配線板状部材３１に設けられた複数の接触配線端子３３が複数のコンタクト１５を介して主配線基板１２に設けられた複数の配線端子１６に夫々連結された状態が安定に維持されることになる。
【００５１】
このようにして、板状部材側コネクタ３０が備える板状部材側シェル部材３２に設けられた可動係合係止部３８が、基板側コネクタ１１が備える基板側シェル部材１４に設けられた固定係止部２７に対する係合係止状態をとったときには、図２７に示されるように、板状部材側シェル部材３２における弾性腕部３７に設けられ、配線板状部材３１に形成された透孔３１Ｂを通じて、配線板状部材３１の面３１ｂに張り付けられた補強板部材３１Ａの外方に突出した操作部４０は、透孔３１Ｂ内において、基板側コネクタ１１が備える絶縁ハウジング１３から離隔した位置（第１の位置）をとる。それにより、配線板状部材３１に形成された透孔３１Ｂ内の操作部４０の位置に応じて、板状部材側シェル部材３２に設けられた可動係合係止部３８が基板側シェル部材１４に設けられた固定係止部２７を係合係止して、配線板状部材３１に設けられた複数の接触配線端子３３が主配線基板１２に設けられた複数の配線端子１６に夫々連結された状態が安定に維持されていることを認識することができる。
【００５２】
その後、配線板状部材３１に設けられた複数の接触配線端子３３が主配線基板１２に設けられた複数の配線端子１６に夫々連結された状態を解除すべく、板状部材側コネクタ３０が備える板状部材側シェル部材３２に設けられた可動係合係止部３８による基板側コネクタ１１が備える基板側シェル部材１４に設けられた固定係止部２７に対する係合係止状態を解除して、板状部材側コネクタ３０が備える板状部材側シェル部材３２を基板側コネクタ１１が備える基板側シェル部材１４に対する嵌合状態から解放する際には、図２８に示されるように、板状部材側コネクタ３０が備える板状部材側シェル部材３２における弾性腕部３７に設けられ、配線板状部材３１に形成された透孔３１Ｂを通じて、配線板状部材３１の面３１ｂに張り付けられた補強板部材３１Ａの外方に突出した操作部４０に、透孔３１Ｂの範囲内において、図２６及び図２７に示される第１の位置から、基板側コネクタ１１が備える絶縁ハウジング１３に近接した位置（第２の位置）に変位せしめられる操作が加えられる。
【００５３】
上述のようにして操作部４０が変位せしめられることにより、板状部材側シェル部材３２における弾性腕部３７が、可動係合係止部３８を伴って移動せしめられ、可動係合係止部３８に基板側コネクタ１１が備える基板側シェル部材１４に設けられた固定係止部２７に対する係合係止状態を解除させる。また、このとき、弾性腕部３７により支持された係合部３９も、弾性腕部３７に伴って移動し、配線板状部材３１の面３１ｂに張り付けられた補強板部材３１Ａにおける透孔３１Ｂの周囲部分に対する当接係合状態を解除する。それにより、板状部材側コネクタ３０が備える板状部材側シェル部材３２を基板側コネクタ１１が備える基板側シェル部材１４に対する嵌合状態から解放することができる状態が得られる。
【００５４】
斯かる際、固定係止部２７に対する係合係止状態を解除すべく移動せしめられた可動係合係止部３８は、基板側シェル部材１４に設けられた傾斜面部２８を有した位置規制部２９に傾斜面部２８に沿って移動して係合し、位置規制部２９による位置規制を受ける。それにより、弾性腕部３７の弾性力による可動係合係止部３８の戻り移動が防止されるので、可動係合係止部３８に固定係止部２７に対する係合係止状態を解除させるにあたっての操作性が向上する。
【００５５】
このようにして、図２９に示されるように、操作部４０が、可動係合係止部３８に固定係止部２７に対する係合係止状態を解除させるべく、配線板状部材３１に形成された透孔３１Ｂ内において第２の位置をとり、係合部３９が、配線板状部材３１が有する補強板部材３１Ａにおける透孔３１Ｂの周囲部分に対する当接係合状態を解除したもとにあっては、透孔３１Ｂ内の操作部４０の位置に応じて、板状部材側シェル部材３２に設けられた可動係合係止部３８が基板側シェル部材１４に設けられた固定係止部２７に対する係合係止状態を解除したことを認識することができる。
【００５６】
上述のような主配線基板１２に装着された基板側コネクタ１１と配線板状部材３１に装着された板状部材側コネクタ３０とを含んで構成される、本発明に係る配線端子連結装置の一例が用いられるもとにあっては、配線板状部材３１を主配線基板１２に対面近接重ね合わせ連結によって電気的に連結することにより、配線板状部材３１に設けられた複数の接触配線端子３３が主配線基板１２に設けられた複数の配線端子１６に夫々連結される状態が、基板側コネクタ１１における基板側シェル部材１４に板状部材側コネクタ３０における板状部材側シェル部材３２を嵌合させることによりとられ、板状部材側コネクタ３０は絶縁ハウジングを備えることなく板状部材側シェル部材３２を備えるものとされている。それにより、基板側コネクタ１１が装着された主配線基板１２と板状部材側コネクタ３０が装着された配線板状部材３１とを含んだ全体の構成の薄型化を図ることができることになる。
【００５７】
それに加えて、基板側コネクタ１１と板状部材側コネクタ３０とを含んで構成される本発明に係る配線端子連結装置の一例によれば、配線板状部材３１を主配線基板１２に対面近接重ね合わせ連結によって電気的に連結することにより、配線板状部材３１に設けられた複数の接触配線端子３３が主配線基板１２に設けられた複数の配線端子１６に夫々連結される状態が、主配線基板１２に固着された基板側コネクタ１１における基板側シェル部材１４に、配線板状部材３１に固着された板状部材側コネクタ３０における板状部材側シェル部材３２を嵌合させることによりとられ、その際、基板側シェル部材１４に板状部材側シェル部材３２が嵌合するとき、基板側シェル部材１４に設けられた当接係合部２５が板状部材側シェル部材３２に設けられた係合受部３５に対する当接係合状態をとり、斯かるもとで、基板側コネクタ１１における複数のコンタクト１５の接点部２３が配線板状部材３１に設けられた複数の接触配線端子３３に夫々当接して、配線板状部材３１に設けられた複数の接触配線端子３３が主配線基板１２に設けられた複数の配線端子１６に夫々連結されるので、配線板状部材３１に設けられた複数の接触配線端子３３の主配線基板１２に設けられた複数の配線端子１６への連結を確実に行うことができる。
【００５８】
また、基板側コネクタ１１と板状部材側コネクタ３０とを含んで構成される本発明に係る配線端子連結装置の一例によれば、基板側コネクタ１１における基板側シェル部材１４に板状部材側コネクタ３０における板状部材側シェル部材３２が嵌合するとき、基板側シェル部材１４に設けられた当接係合部２５が板状部材側シェル部材３２に設けられた係合受部３５に対する当接係合状態をとり、さらにそれに加えて、板状部材側シェル部材３２に設けられた可動係合係止部３８が基板側シェル部材１４に設けられた固定係止部２７に対する係合係止状態をとる。それにより、板状部材側シェル部材３２に設けられた可動係合係止部３８が、基板側シェル部材１４に嵌合した板状部材側シェル部材３２を基板側シェル部材１４に対して堅固に係止する。その結果、配線板状部材３１に設けられた複数の接触配線端子３３が主配線基板１２に設けられた複数の配線端子１６に夫々連結された状態が安定に維持されることになる。
【００５９】
さらに、基板側コネクタ１１と板状部材側コネクタ３０とを含んで構成される本発明に係る配線端子連結装置の一例によれば、配線板状部材３１に設けられた透孔３１Ｂ内における、板状部材側コネクタ３０が備える板状部材側シェル部材３２に設けられた操作部４０がとる第１の位置に応じて、板状部材側シェル部材３２に設けられた可動係合係止部３８が基板側シェル部材１４に設けられた固定係止部２７を係合係止して、配線板状部材３１に設けられた複数の接触配線端子３３が主配線基板１２に設けられた複数の配線端子１６に夫々連結された状態が安定に維持されていることを容易に確認することができる。しかも、配線板状部材３１に設けられた複数の接触配線端子３３が主配線基板１２に設けられた複数の配線端子１６に夫々連結された状態の解除を、配線板状部材３１に設けられた透孔３１Ｂを貫通して配線板状部材３１からその外方に突出するものとされる操作部４０に第２の位置をとらせることにより開始される、作業性が良好とされる操作をもって、確実に行うことができることになる。
【実施例２】
【００６０】
図３０は、本発明に係る配線端子連結装置の他の例を構成する主要構成要素である第１のコネクタを成す基板側コネクタ５１と基板側コネクタ５１が装着された主配線基板１２とを示す。主配線基板１２は、前述の図１に示されるものと同じものであり、それゆえ、主配線基板１２についての重複説明は省略される。
【００６１】
図３０において、第１のコネクタである基板側コネクタ５１は、主配線基板１２に固定される矩形平板状を成す絶縁ハウジング１３（前述の図１に示されるものと同じものであり、それゆえ、絶縁ハウジング１３についての重複説明は省略される。）と主配線基板１２に固着される第１のシェル部材である基板側シェル部材５２とを備えている。
【００６２】
基板側シェル部材５２は、例えば、弾性を有した金属板材に打抜き屈曲加工が施されて形成され、図３１に示されるように、全体として矩形枠状体を成すものとされて、その長手方向に互いに平行に伸びる一対の当接係合部５３と一対の当接係合部５３を各々の両端部において相互連結する一対の連結部５４とを有している。一対の当接係合部５３の夫々は、金属板材の外側縁部分が折り返されて形成されており、それにより弾性力を具えたものとされている。また、一対の連結部５４の夫々には、矩形枠状部の一辺を成すものとされた固定係止部５５が形成されており、さらに、傾斜面部５６を有した位置規制部５７が形成されている。
【００６３】
基板側シェル部材５２が備える一対の連結部５４の夫々に設けられた固定係止部５５及び傾斜面部５６を有した位置規制部５７は、前述の図６に示される基板側シェル部材１４が備える一対の連結部２６の夫々に設けられた固定係止部２６及び傾斜面部２８を有した位置規制部２９と同様の役割を果たす。
【００６４】
そして、基板側シェル部材５２が備える一対の当接係合部５３の夫々には、その長手方向に沿って、それが具える弾性力を緩和するための複数の溝５８が配列形成されている。複数の溝５８の個数及び複数の溝５８の夫々の規模は、当接係合部５３が備える弾性力に応じて適宜選定される。
【００６５】
このような基板側シェル部材５２と絶縁ハウジング１３とを備えて構成される基板側コネクタ５１は、前述の図１に示される基板側コネクタ１１と同様に用いられ、前述の図１０に示される第２のコネクタを成す板状部材側コネクタ３０と組み合わされて、本発明に係る配線端子連結装置の他の例を構成する。基板側コネクタ５１は、それが備える基板側シェル部材５２における一対の当接係合部５３の夫々に弾性力を緩和するための複数の溝５８が形成されている点において、斯かる溝が形成されていない当接係合部２５を有する基板側シェル部材１４が設けられた前述の図１に示される基板側コネクタ１１との相違があり、その他の点については前述の図１に示される基板側コネクタ１１と同様である。
【００６６】
従って、基板側コネクタ５１と前述の図１０に示される板状部材側コネクタ３０とを含んで構成される本発明に係る配線端子連結装置の他の例によれば、前述の基板側コネクタ１１と板状部材側コネクタ３０とを含んで構成される本発明に係る配線端子連結装置の一例と同様な作用効果が得られ、それに加えて、基板側コネクタ５１が備える一対の当接係合部５３に板状部材側コネクタ３０が備える一対の係合受部３５が夫々嵌合する際に、当接係合部５３が係合受部３５に過大な弾性力を作用させる事態が回避されることになる。
【産業上の利用可能性】
【００６７】
以上のような本発明に係る配線端子連結装置は、主配線基板と配線板状部材とを含んだ全体の構成の薄型化を図ることができるもとで、配線板状部材に設けられた接触配線端子の主配線基板に設けられた配線端子への連結を確実に行うことができるとともに、配線板状部材に設けられた接触配線端子が主配線基板に設けられた配線端子に連結された状態が安定に維持されるようになすことができ、さらに、配線板状部材に設けられた接触配線端子が主配線基板に設けられた配線端子に連結された状態が安定に維持されていることを容易に確認することができ、しかも、配線板状部材に設けられた接触配線端子が主配線基板に設けられた配線端子に連結された状態の解除を、作業性が良好とされる操作をもって確実に行なうことができるものとして、様々な電子機器等に広く適用され得るものである。
【符号の説明】
【００６８】
１１，５１・・・基板側コネクタ，  １２・・・主配線基板，  １３・・・絶縁ハウジング，  １４，５２・・・基板側シェル部材，  １５・・・コンタクト，  １６・・・配線端子，  １７，３４・・・配線パターン，  １８・・・半田付け部，  ２０・・・本体部，  ２１・・・基板接続部，  ２２・・・透孔，  ２３・・・接点部，  ２５，５３・・・当接係合部，  ２６，５４・・・連結部，  ２７，５５・・・固定係止部，  ２８，５６・・・傾斜面部，  ２９，５７・・・位置規制部，  ３０・・・板状部材側コネクタ，  ３１・・・配線板状部材，  ３２・・・板状部材側シェル部材，  ３３・・・接触配線端子，  ３５・・・係合受部，  ３６・・・固定部，  ３７・・・弾性腕部，  ３８・・・可動係合係止部，  ３９・・・係合部，  ４０・・・操作部，  ５８・・・溝
【図１】
2015026425.tif 000003
【図２】
2015026425.tif 000004
【図３】
2015026425.tif 000005
【図４】
2015026425.tif 000006
【図５】
2015026425.tif 000007
【図６】
2015026425.tif 000008
【図７】
2015026425.tif 000009
【図８】
2015026425.tif 000010
【図９】
2015026425.tif 000011
【図１０】
2015026425.tif 000012
【図１１】
2015026425.tif 000013
【図１２】
2015026425.tif 000014
【図１３】
2015026425.tif 000015
【図１４】
2015026425.tif 000016
【図１５】
2015026425.tif 000017
【図１６】
2015026425.tif 000018
【図１７】
2015026425.tif 000019
【図１８】
2015026425.tif 000020
【図１９】
2015026425.tif 000021
【図２０】
2015026425.tif 000022
【図２１】
2015026425.tif 000023
【図２２】
2015026425.tif 000024
【図２３】
2015026425.tif 000025
【図２４】
2015026425.tif 000026
【図２５】
2015026425.tif 000027
【図２６】
2015026425.tif 000028
【図２７】
2015026425.tif 000029
【図２８】
2015026425.tif 000030
【図２９】
2015026425.tif 000031
【図３０】
2015026425.tif 000032
【図３１】
2015026425.tif 000033